(57)【要約】【課題】アクセサリが引っ張られるなどして、アクセサリに対して留め具に把持された真珠などの珠玉を留め具から離脱させる方向の力が作用しても、珠玉が留め具から不用意に外れることを防止する。【解決手段】珠玉（Ｐ）を有するアクセサリ（１）に用いられ、珠玉（Ｐ）を把持する留め具（１００）であって、支軸（３０）により回動可能に軸支された第１本体部（１０）と第２本体部（２０）とを有し、第１本体部（１０）は、珠玉（Ｐ）に当接する第１把持部（１２）を備え、第２本体部（２０）は、珠玉（Ｐ）に当接する第２把持部（２２）を備え、第１把持部（１２）と第２把持部（２２）とが相対的に閉じて珠玉（Ｐ）を把持した状態で、第１把持部（１２）は、支軸（３０）側から延びる先端部分（１５）が、珠玉（Ｐ）の中心部（Ｏ）と支軸（３０）とを含む平面（Ｓ）に対して交差して設けられる。
2016121088.tif 000002
【特許請求の範囲】
【請求項１】
珠玉を有するアクセサリに用いられ、前記珠玉を把持する留め具であって、  支軸により回動可能に軸支された第１本体部と第２本体部とを有し、  前記第１本体部は、前記珠玉に当接する第１把持部を備え、  前記第２本体部は、前記珠玉に当接する第２把持部を備え、  前記第１把持部と前記第２把持部とが相対的に閉じて前記珠玉を把持した状態で、前記第１把持部は、前記支軸側から延びる先端部分が、前記珠玉の中心部と前記支軸とを含む平面に対して交差して設けられることを特徴とする留め具。
【請求項２】
前記第１把持部と前記第２把持部とが相対的に閉じて前記珠玉を把持した状態で、前記第２把持部は、前記支軸側から延びる先端部分が、前記平面に対して離間して設けられることを特徴とする請求項１記載の留め具。
【請求項３】
前記第１把持部及び前記第２把持部は、前記珠玉を把持した状態で前記支軸側から延びる先端が互いに当接するように形成されることを特徴とする請求項１又は請求項２に記載の留め具。
【請求項４】
前記第１把持部と前記第２把持部とが相対的に閉じて前記珠玉を把持した状態で、前記アクセサリの一部が前記平面に沿って前記支軸に直交する方向に挿通可能な正面挿通孔を備えることを特徴とする請求項１〜請求項３のいずれか１項に記載の留め具。
【請求項５】
前記第１把持部は、前記正面挿通孔を形成する第１正面凹部を有し、  前記第２把持部は、前記第１正面凹部とともに前記正面挿通孔を形成する第２正面凹部を有することを特徴とする請求項４記載の留め具。
【請求項６】
前記第１把持部と前記第２把持部とが相対的に閉じて前記珠玉を把持した状態で、前記平面に沿って前記支軸に平行な方向に貫通する側面挿通孔を有することを特徴とする請求項１〜請求項５のいずれか１項に記載の留め具。
【請求項７】
前記第１把持部は、前記側面挿通孔を形成する第１側面凹部を備え、  前記第２把持部は、前記第１側面凹部とともに前記側面挿通孔を形成する第２側面凹部を有することを特徴とする請求項６記載の留め具。
【請求項８】
前記第１把持部及び前記第２把持部の一方又は双方は、把持された前記珠玉の一部が嵌入可能な開口部を有することを特徴とする請求項１〜請求項７のいずれか１項に記載の留め具。
【請求項９】
前記第１本体部は、前記支軸から前記第１把持部とは反対側に形成された第１突起部を有し、  前記第２本体部は、前記支軸から前記第２把持部とは反対側に形成された第２突起部を有し、  前記第１突起部と前記第２突起部との間に配置され、かつ前記第１突起部と前記第２突起部を前記第１把持部と前記第２把持部とが相対的に閉じる方向に付勢する付勢部材を有することを特徴とする請求項１〜請求項８のいずれか１項に記載の留め具。
【請求項１０】
前記第１本体部及び前記第２本体部と、前記アクセサリの装飾部とを接続する接続部材を有し、  前記接続部材は、前記第１本体部及び前記第２本体部とは別体として形成され、かつ前記支軸が挿通される挿通穴を備えることを特徴とする請求項１〜請求項９のいずれか１項に記載の留め具。
【請求項１１】
請求項１〜請求項１０のいずれか１項に記載の留め具を有するアクセサリ。
【発明の詳細な説明】
【技術分野】
【０００１】  本発明は、アクセサリに用いられる留め具に関する。
【背景技術】
【０００２】  アクセサリとしては、ネックレスやブレスレットなどの紐状の形状のものがある。このような紐状のアクセサリとしては、例えば、複数個の真珠が連設された紐状の装飾部と装飾部を構成する真珠を把持する留め具とを備えるものがある。この留め具によれば、留め具が把持する真珠の位置を変えることによりアクセサリの形状が変化する。そして、アクセサリは、例えば、環状や略Ｙ字を有する形状など様々な形状に形成される。そのため、同一のアクセサリを用いて複数のバリエーションを楽しむことができ、その日の服装や気分に合わせた形状とすることが可能となる。このような留め具としては、真珠を把持する半球型の２つの把持部材と、上記２つの把持部材を回動可能に軸支する支軸と、支軸側に設けられた連結部材とを備える構成のものが知られている（例えば特許文献１参照）。
【先行技術文献】
【特許文献】
【０００３】
【特許文献１】特開２００７−２７５３９８号公報
【発明の概要】
【発明が解決しようとする課題】
【０００４】  しかしながら、このような構成の留め具を備えるアクセサリでは、アクセサリが引っ張られると、留め具に把持された真珠を留め具から引き離すような力、すなわち把持された真珠に対して支軸側から離れる方向の力が作用し、当該真珠が２つの把持部材の間に入り込んで把持部材間をこじ開けるように作用する場合がある。その結果、把持部材どうしが開いてしまい、真珠が留め具から離脱し、アクセサリが不用意に外れてしまうというおそれがある。【０００５】  本発明は、上述した問題点に鑑みてなされたものであり、アクセサリが引っ張られるなどして、アクセサリに対して留め具に把持された真珠などの珠玉を留め具から離脱させる方向の力が作用しても、珠玉が留め具から不用意に外れることを防止する留め具及びこのような留め具を有するアクセサリを提供することを目的とする。
【課題を解決するための手段】
【０００６】  上記課題を解決するために創案された第１の発明は、珠玉を有するアクセサリに用いられ、珠玉を把持する留め具であって、支軸により回動可能に軸支された第１本体部と第２本体部とを有し、第１本体部は、珠玉に当接する第１把持部を備え、第２本体部は、珠玉に当接する第２把持部を備え、第１把持部と第２把持部とが相対的に閉じて珠玉を把持した状態で、第１把持部は、支軸側から延びる先端部分が、珠玉の中心部と支軸とを含む平面に対して交差して設けられる。【０００７】  このような構成によれば、留め具に把持された珠玉に対して、上記平面に平行かつ支軸から離れる方向の力が作用しても、当該珠玉は第１把持部の先端部分に押圧されるだけとなり、当該珠玉が第１把持部と第２把持部との間に入り込んで両把持部を相対的に開かせるように作用することを防止できる。【０００８】  上記課題を解決するために創案された第２の発明は、第１の発明の留め具において、第１把持部と第２把持部とが相対的に閉じて珠玉を把持した状態で、第２把持部は、支軸側から延びる先端部分が、上記平面に対して離間して設けられる。【０００９】  このような構成によれば、珠玉を留め具に収容する際又は留め具から離脱させる際に、留め具の正面（先端）側から内部へ、あるいは留め具の内部から正面（先端）側へ向けて珠玉が通過する開口部分を第２把持部の先端において容易に形成することができる。すなわち、珠玉を留め具に把持しあるいは留め具から外す際の第１把持部と第２把持部との開き角度（第１把持部と第２把持部とがなす支軸回りの角度）がより小さい角度で上記開口部分を形成することができる。これにより、珠玉と留め具との連結及び連結の解除を行う際の留め具の操作を容易に行うことができる。【００１０】  上記課題を解決するために創案された第３の発明は、第１又は第２の発明の留め具において、第１把持部及び第２把持部は、珠玉を把持した状態で支軸側から延びる先端が互いに当接するように形成される。【００１１】  このような構成によれば、珠玉を把持した状態の第１把持部及び第２把持部は、それぞれの先端が解放される場合に比べて変形や振れが抑制されるとともに、互いの先端間に空隙を形成することなく珠玉を把持することができる。そのため、このような留め具によれば、より確実かつ安定的に珠玉を把持することができる。【００１２】  上記課題を解決するために創案された第４の発明は、第１〜第３の発明のいずれかの留め具において、第１把持部と第２把持部とが相対的に閉じて珠玉を把持した状態で、アクセサリの一部が上記平面に沿って支軸に直交する方向に挿通可能な正面挿通孔を備える。【００１３】  このような構成の留め具によれば、アクセサリの装飾部の端部の珠玉を留め具の正面（先端）側から把持することが可能となる。これにより、留め具は、アクセサリの装飾部どうしを直線状に接続することができる。【００１４】  上記課題を解決するために創案された第５の発明は、第４の発明の留め具において、第１把持部は、正面挿通孔を形成する第１正面凹部を有し、第２把持部は、第１正面凹部とともに正面挿通孔を形成する第２正面凹部を有する。【００１５】  このような構成によれば、正面挿通孔は第１正面凹���と第２正面凹部とを有するので、正面挿通孔を容易に形成することができる。【００１６】  上記課題を解決するために創案された第６の発明は、第１〜第５の発明のいずれかの留め具において、第１把持部と第２把持部とが相対的に閉じて珠玉を把持した状態で、平面に沿って支軸に平行な方向に貫通する側面挿通孔を有する。【００１７】  このような構成の留め具によれば、アクセサリの装飾部の端部の珠玉を留め具の側面側から把持できることに加えて、装飾部の端部の珠玉以外の珠玉、すなわち装飾部の中間部分に配置された珠玉を把持することが可能となる。そのため、アクセサリは、例えば環状や略Ｙ字を有する形状などに形成することができ、アクセサリの形状のバリエーションを増やすことができる。【００１８】  上記課題を解決するために創案された第７の発明は、第６の発明の留め具において、第１把持部は、側面挿通孔を形成する第１側面凹部を備え、第２把持部は、第１側面凹部とともに側面挿通孔を形成する第２側面凹部を有する。【００１９】  このような構成によれば、側面挿通孔は第１側面凹部と第２側面凹部とを有するので、側面挿通孔をより容易に形成することができる。【００２０】  上記課題を解決するために創案された第８の発明は、第１〜第７の発明のいずれかの留め具において、第１把持部及び第２把持部の一方又は双方は、把持された珠玉の一部が嵌入可能な開口部を有する。【００２１】  このような構成によれば、珠玉は、一部が開口部に嵌入した状態で留め具に把持される。よって、留め具は、確実かつ安定的に珠玉を把持することができる。【００２２】  上記課題を解決するために創案された第９の発明は、第１〜第８の発明のいずれかの留め具において、第１本体部は、支軸から第１把持部と反対側に形成された第１突起部を有し、第２本体部は、支軸から第２把持部と反対側に形成された第２突起部を有し、第１突起部と第２突起部との間に配置され、かつ第１突起部と第２突起部を第１把持部と第２把持部とが相対的に閉じる方向に付勢する付勢部材を有する。【００２３】  このような構成によれば、ユーザは、第１突起部と第２突起部とを同時に押圧して互いが接近するように操作するだけで第１把持部と第２把持部とを相対的に開くことができるとともに、押圧する力を緩めるだけで第１突起部と第２突起部とを互いに離間させて第１把持部と第２把持部とを相対的に閉じることができる。よって、ユーザは、留め具に珠玉を把持する際及び留め具から珠玉を離脱させる際の留め具の操作を容易かつ確実に行うことができる。【００２４】  上記課題を解決するために創案された第１０の発明は、第１〜第９の発明のいずれかの留め具において、第１本体部及び第２本体部と、アクセサリの装飾部とを接続する接続部材を有し、接続部材は、第１本体部及び第２本体部とは別体として形成され、かつ支軸が挿通される挿通穴を備える。【００２５】  このような構成によれば、第１本体部及び第２本体部は、支軸及び接続部材を介して装飾部に接続される。そのため、第１本体部及び第２本体部と、装飾部とを接続をするための部材を、第１本体部及び第２本体部の表面に設ける必要がないので、第１本体部及び第２本体部の表面のデザインの自由度を確保��ることができる。【００２６】  上記課題を解決するために創案された第１１の発明は、第１〜第１０の発明のいずれかの留め具を有するアクセサリである。【００２７】  このような構成によれば、上記した留め具をアクセサリの形態で提供することができる。
【発明の効果】
【００２８】  本発明によれば、アクセサリが引っ張られるなどして、留め具に把持された珠玉に対して、珠玉の中心部と支軸とを含む平面に平行かつ珠玉が支軸から離れる方向の力が作用しても、珠玉は第１把持部の先端部分に押圧されるだけとなる。よって、珠玉が留め具から離脱してアクセサリが不用意に外れることを防止することができる。
【図面の簡単な説明】
【００２９】
【図１】第１実施形態に係る留め具の一例を示す概略斜視図である。
【図２】図１の留め具を示す側面分解図である。
【図３】図１の留め具を示す平面分解図である。
【図４】図１の留め具が珠玉を把持した状態を示し、（ａ）は側面図、（ｂ）は正面図である。
【図５】図１の留め具が珠玉を把持する際の動作を示す側面図である。
【図６】第２実施形態に係る留め具の一例を示す概略斜視図である。
【図７】図６の留め具が珠玉を把持した状態を示し、（ａ）は側面図、（ｂ）は正面図、（ｃ）は平面図である。
【図８】第３実施形態に係るアクセサリの一例を示す要部の概略側面図である。
【発明を実施するための形態】
【００３０】  以下、本発明の実施形態について図面を参照しながら説明する。ただし、本発明はこれに限定されるものではない。また、図面においては一部分を大きくまたは強調して記載するなど適宜縮尺を変更して表現している。以下の各図の一部については、ＸＹＺ座標系を用いて図中の方向を説明する。このＸＹＺ座標系は、留め具が把持した珠玉の中心部と支軸とを含む平面に平行な平面をＸＺ平面とする。このＸＺ平面において支軸に直交する方向をＸ方向と表記し、Ｘ方向に直交する方向（支軸に平行な方向）をＺ方向と表記する。また、ＸＺ平面に垂直な方向はＹ方向と表記する。Ｘ方向、Ｙ方向、及びＺ方向のそれぞれは、図中の矢印の方向が＋方向であり、矢印と反対の方向が−方向であるものとして説明する。
【００３１】＜第１実施形態＞  本発明の第１実施形態について、図１〜図５を用いて説明する。図１は、第１実施形態に係る留め具の一例を示す概略斜視図である。図２は、図１の留め具を示す側面分解図である。図３は、図１の留め具を示す平面分解図である。図４は、図１の留め具が珠玉を把持した状態を示し、（ａ）は側面図、（ｂ）は正面図である。図５は、図１の留め具が珠玉を把持する際の動作を示す側面図である。なお、図４（ａ）では、装飾部の端部の珠玉Ｐ１を正面側から把持した状態を示し、図４（ｂ）では、装飾部の中間部分に配置された珠玉Ｐ２を把持した状態を示している。
【００３２】  留め具１００は、図１〜図３に示すように、第１本体部１０と、第２本体部２０と、支軸３０と、付勢部材４０と、接続部材５０とを有している。第１本体部１０と第２本体部２０とは、支軸３０により開閉自在に軸支され、それぞれ支軸３０を中心に回動可能となっている。留め具１００は、例えば、把持可能な珠玉Ｐを有する紐状のアクセサリ１に用いられ、多数個の球状の珠玉Ｐが直線状に連設されて形成された装飾部２の一端側の端部と円環部材３を介して接続される（図８参照）。留め具１００は、後述する第１把持部１２と第２把持部２２とを相対的に閉じる方向に第１本体部１０と第２本体部２０とが回動することにより、珠玉Ｐの把持が可能となっている（図４参照）。留め具１００は、金属製であるが、珠玉Ｐを把持可能な強度及び剛性を備えるものであれば、樹脂製、セラミック製などであってもよい。後述する第２実施形態に係る留め具２００についても同様である。
【００３３】  第１本体部１０は、第２本体部２０の＋Ｙ側に配置され、裏面（−Ｙ側の面）側に支軸３０が挿通可能な一対の支軸挿通穴１１を有している。第１本体部１０は、第１把持部１２と第１突起部１３とを有している。第１把持部１２は、Ｙ方向から見て、支軸３０の＋Ｘ側に設けられている。第１把持部１２は、留め具１００が珠玉Ｐを把持する際に、珠玉Ｐの表面に当接し、後述する第２把持部２２と協働して珠玉Ｐを把持する。また、第１把持部１２は、珠玉Ｐの＋Ｙ側の一部が嵌入可能な円形状の第１開口部（開口部）１４を有している。珠玉Ｐが第１開口部１４に嵌入されると、珠玉Ｐの＋Ｙ側の曲面の一部は第１開口部１４から＋Ｙ方向に突出する（図４参照）。
【００３４】  第１把持部１２の支軸３０側から延びる先端部分（＋Ｘ側の部分）１５には、−Ｙ側の先端１６の一部を＋Ｙ側に略円弧状に切り欠いた第１正面凹部１７が設けられている。第１正面凹部１７は、後述する正面挿通孔６０を構成する。また、第１把持部１２の側面（＋Ｚ側の面及び−Ｚ側の面）には、それぞれ−Ｙ側の端部の一部を＋Ｙ側に略円弧状に切り欠いた第１側面凹部１８が設けられている。第１側面凹部１８は、後述する側面挿通孔７０を構成する。
【００３５】  図４に示すように、留め具１００が珠玉Ｐを把持した状態で、第１把持部１２の先端部分１５は、支軸３０と珠玉Ｐの中心部Ｏとを含む平面Ｓに対して交差するように設けられ、第１把持部１２の先端１６は、平面Ｓを超えて平面Ｓの−Ｙ側に位置している。珠玉Ｐが球形状の場合には、中心部Ｏは当該球形の中心となる。また、先端１６は、留め具１００が珠玉Ｐを把持した状態で、後述する第２把持部２２の先端２６と当接するように形成されている。
【００３６】  図２及び図３に戻り、第１突起部１３は、Ｙ方向から見て、支軸３０から第１把持部１２とは反対側（支軸３０の−Ｘ側）に形成されている。第１突起部１３は、第１把持部１２と後述する第２把持部２２とを相対的に開く操作の際に、＋Ｙ側の表面が−Ｙ方向に押圧される。突起部１３の裏面側（−Ｙ側）には、付勢部材４０の＋Ｙ側の先端部４０ａに対して入り込むように形成された突起１９が設けられている。
【００３７】  第２本体部２０は、第１本体部１０の−Ｙ側に配置され、裏面側（＋Ｙ側）に支軸３０が挿通可能な一対の支軸挿通穴２１を有している。第２本体部２０は、第２把持部２２と第２突起部２３とを有している。第２把持部２２は、Ｙ方向から見て、支軸３０の＋Ｘ側に設けられている。第２把持部２２は、留め具１００が珠玉Ｐを把持する際に、珠玉Ｐの表面に当接し、第１把持部１２と協働して珠玉Ｐを把持する。第２把持部２２は、珠玉Ｐの−Ｙ側の一部が嵌入可能な円形状の第２開口部（開口部）２４を有している。第２開口部２４は、Ｙ方向から見て、第１開口部１４と重なるように形成されている。珠玉Ｐが第２開口部２４に嵌入されると、珠玉Ｐの−Ｙ側の曲面の一部は第２開口部２４から−Ｙ方向に突出する（図４参照）。
【００３８】  第２把持部２２の支軸３０側から延びる先端部分（＋Ｘ側の部分）２５は、先端２６の一部を−Ｙ側に略円弧状に切り欠いた第２正面凹部２７が設けられている。第２正面凹部２７は、第１正面凹部１７とともに後述する正面挿通孔６０を構成する。また、第２把持部２２の側面（＋Ｚ側及び−Ｚ側の面）には、側面の＋Ｙ側の端部の一部を−Ｙ側に円弧状に切り欠いた第２側面凹部２８が設けられている。第２側面凹部２８は、第１側面凹部１８とともに後述する側面挿通孔７０を構成する。
【００３９】  また、図４に示すように、留め具１００が珠玉Ｐを把持した状態で、第２把持部２２は、支軸３０側から延びる先端部分２５が平面Ｓに対して離間して形成され、第２把持部２２の先端部分２５の先端２６は平面Ｓの−Ｙ側に位置している。また、先端２６は、第１把持部１２の先端１６と当接するように形成されている。
【００４０】  図２及び図３に戻り、第２突起部２３は、Ｙ方向から見て、支軸３０から第２把持部２２とは反対側（支軸３０の−Ｘ側）に形成されている。第２突起部２３は、第１把持部１２と第２把持部２２とを相対的に開く操作の際に、−Ｙ側の表面が＋Ｙ方向に押圧される。突起部２３の裏面側（＋Ｙ側）には、付勢部材４０の−Ｙ側の先端部４０ｂに対して入り込むように形成された突起２９が設けられている。
【００４１】  支軸３０は、第１本体部１０と第２本体部２０とを回動可能に支持する。支軸３０は、留め具１００をＺ方向に沿って貫通するように配置され、第１本体部１０、第２本体部２０、及び後述する接続部材５０に設けられた、支軸挿通穴１１，２１及び挿通穴５１に挿通されている。支軸３０は、第１本体部１０及び第２本体部２０とは別体であり、支軸３０としては、例えばＺ方向を軸方向とする細い円柱形の部材が用いられる。支軸３０は、支軸挿通穴１１，２１及び挿通穴５１からの抜けることを防止するため、両端部（＋Ｚ側及び−Ｚ側の端部）はかしめられている。なお、支軸３０は、上記した構成に限定されず、その機能を発揮する限りにおいて、第１本体部１０あるいは第２本体部２０の一部に形成されてもよく、その形状、大きさ、及び留め具１００における配置などについても任意である。
【００４２】  図２に示すように、付勢部材４０は、第１突起部１３と第２突起部２３との間に配置されている。付勢部材４０は、第１把持部１２と第２把持部２２とが相対的に閉じる方向に、第１突起部１３と第２突起部２３を付勢する。付勢部材４０としては、例えば、Ｙ方向に伸縮自在に配置されたコイルばねが用いられる。付勢部材４０は、突起１９，２９が入り込む内径を有している。
【００４３】  接続部材５０は、第１本体部１０及び第２本体部２０と、装飾部２とを接続する部材であり、例えば、装飾部２の一端側の端部と接続される（図８参照）。図２、図３に示すように、接続部材５０は、第１本体部１０及び第２本体部２０とは別体として形成され、挿通穴５１と、付勢部材挿通穴５２と、接続穴５３とを備える。挿通穴５１は、接続部材５０の＋Ｘ側に設けられ、支軸３０が挿通可能に形成されている。付勢部材挿通穴５２は、付勢部材４０がＹ方向に挿通可能に形成されている。接続穴５３は、接続部材５０の−Ｘ側の端部に設けられている。接続穴５３には、例えば、アクセサリ１の装飾部２の一端側の端部に接続された円環部材３（図８参照）が挿通される。これにより、接続部材５０を介して、留め具１００と装飾部２とが接続される。なお、接続部材５０は上記した構成に限定されない。接続部材５０は、例えば、第１本体部１０あるいは第２本体部２０の表面に一体的に形成されてもよい。また、接続部材５０は、留め具１００において設けられなくてもよい。
【００４４】  留め具１００は、珠玉Ｐを把持して状態で、図１、図４（ｂ）に示すように、正面（＋Ｘ側の面）をＸ方向に貫通する正面挿通孔６０を有している。正面挿通孔６０は、第１正面凹部１７と第２正面凹部２７とから形成されている。正面挿通孔６０の形状は、Ｘ方向から見て珠玉Ｐの中心部Ｏを中心とする略円形状となっている。正面挿通孔６０は、平面Ｓに沿って支軸３０に直交する方向（Ｘ方向）に、アクセサリ１の装飾部２の一部が挿通可能となっている。これにより、図４（ａ）に示すように、留め具１００では、第１把持部１２と第２把持部２２とが、装飾部２の端部の珠玉Ｐ１を挟むように配置され、相対的に閉じて珠玉Ｐ１を把持しても、珠玉Ｐ１と珠玉Ｐ１に隣接する珠玉Ｐ２との接続部分Ｐａを含む装飾部２の一部は、正面挿通孔６０に挿通された状態となるので、第１把持部１２あるいは第２把持部２２と装飾部２とが互いに交差し干渉することが回避される。そのため、正面挿通孔６０を有することにより、留め具１００は、装飾部２の端部の珠玉Ｐ１を−Ｘ側から把持し、アクセサリ１の装飾部２の端部どうしを直線状に接続することが可能となる（図８参照）。
【００４５】  また、留め具１００は、珠玉Ｐを把持した状態で、図１、図４（ａ）に示すように、平面Ｓに沿って支軸３０に平行な方向（Ｚ方向）に第１把持部１２及び第２把持部２２を貫通する側面挿通孔７０を有している。側面挿通孔７０は、留め具１００の＋Ｚ側及び−Ｚ側の両側面にそれぞれ形成されている。２つの側面挿通孔７０，７０は、Ｚ方向から見て、珠玉Ｐの中心部Ｏを中心とする略円形状であって互いが重なるように形成されている。側面挿通孔７０は、第１側面凹部１８と第２側面凹部２８とから形成されている。側面挿通孔７０は、平面Ｓに沿って支軸３０に平行な方向に、珠玉Ｐを備えるアクセサリ１の一部が挿通可能となっている。そのため、留め具１００では、第１把持部１２と第２把持部２２とが、珠玉Ｐを挟むように配置され、相対的に閉じて珠玉Ｐを把持しても、把持した珠玉Ｐと隣接する珠玉Ｐ２との接続部分Ｐｂを含む装飾部２の一部は、側面挿通孔７０に挿通された状態となるので、第１把持部１２あるいは第２把持部２２と、装飾部２との干渉が回避される。
【００４６】  次に、珠玉Ｐを把持する際の留め具１００の動作について説明する。ユーザは、まず、留め具１００の第１突起部１３を−Ｙ方向に、第２突起部２３を＋Ｙ方向に、それぞれ付勢部材４０の付勢力に対して逆らうように同時に指で押圧する。すると、図５（ａ）に示すように、第１本体部１０と第２本体部２０とが支軸３０を中心に回動し、第１把持部１２と第２把持部２２とが相対的に開いた状態となる。
【００４７】  次に、ユーザは、図５（ｂ）に示すように、第１把持部１２と第２把持部２２とが相対的に開いた状態を維持するように第１突起部１３及び第２突起部２３を図５（ｂ）の矢印の方向に押圧しながら、第１把持部１２と第２把持部２２とを珠玉Ｐを挟む位置に配置する。
【００４８】  続いて、第１把持部１２と第２把持部２２とが相対的に開いた状態かつ珠玉Ｐを挟んで配置された状態の留め具１００に対して、ユーザは、第１突起部１３及び第２突起部２３に対する押圧を緩める。すると、付勢部材４０の付勢力が作用して第１本体部１０と第２本体部２０とが回動し、図５（ｃ）に示すように、珠玉Ｐを挟み込むように第１把持部１２と第２把持部２２とが相対的に閉じる。これにより、珠玉Ｐは留め具１００に把持される。
【００４９】  一方、このように把持された珠玉Ｐを留め具１００から外す場合には、ユーザは、まず、留め具１００が珠玉Ｐを把持する際と同様に、留め具１００の第１突起部１３及び第２突起部２３を指で同時に押圧して第１把持部１２と第２把持部２２とを相対的に開いた状態とする。次いで、この状態の留め具１００から珠玉Ｐを離脱させる。これにより、留め具１００の把持による留め具１００と珠玉Ｐとの接続が解除される。
【００５０】  このように、留め具１００によれば、第１突起部１３及び第２突起部２３を同時に押圧するだけで第１把持部１２と第２把持部２２とを相対的に開かせ、さらに押圧を緩めることで第１把持部１２と第２把持部２２とを相対的に閉じることができる。そのため、珠玉Ｐを把持する際及び珠玉Ｐを離脱させる際の留め具１００の操作を容易かつ確実に行うことができる。
【００５１】  また、留め具１００は、第１開口部１４及び第２開口部２４を備えるので、珠玉Ｐを嵌入させた状態で把持することができる。また、留め具１００は先端部分１５が平面Ｓに対して交差して設けられた第１把持部１２を有するので、珠玉Ｐに対して平面Ｓに平行かつ支軸３０から離れる方向の力が作用しても珠玉Ｐは第１把持部１２の先端部分１５の−Ｘ側の表面に押圧されるだけとなり、第１把持部１２と第２把持部２２とが相対的に開いてしまうことが抑制される。よって、留め具１００によれば、珠玉Ｐを安定的かつ確実に把持することができるとともに、珠玉Ｐが留め具１００から不用意に外れることを回避することができる。
【００５２】  また、留め具１００は正面挿通孔６０及び側面挿通孔７０を有することにより、アクセサリ１の装飾部２の端部の珠玉Ｐ１及び中間部分の珠玉Ｐ２のいずれについても把持することが可能となる。そのため、留め具１００による装飾部２どうしの接続の形態としては、例えば、正面挿通孔６０を介して直線状に接続することのほか、装飾部２の端部の珠玉Ｐ１を把持して一方の側面挿通孔７０を介してＬ字状に接続することや、装飾部２の中間部分の珠玉Ｐ２を把持し双方の側面挿通孔７０，７０を介してＹ字状に接続することも可能となる。そのため、留め具１００によれば、アクセサリ１を例えば環状や略Ｙ字を有する形状などに形成することができ、アクセサリ１の形状のバリエーションを増やすことができる。
【００５３】  以上、第１実施形態の留め具１００について説明したが、留め具１００は、上記した構成に限定されない。例えば、第１把持部１２は、第１正面凹部１７及び第１側面凹部１８の一方又は双方を有しなくてもよい。また、第２把持部２２は、第２正面凹部２７及び第２側面凹部２８の一方又は双方を有しなくてもよい。第１側面凹部１８及び第２側面凹部２８が設けられない場合の側面挿通孔７０は、第１把持部１２と第２把持部２２との間に生じるスリット状に形成されてもよい。また、珠玉Ｐを把持した状態の留め具１００において、第２把持部２２の先端部分２５は、平面Ｓに対して当接あるいは交差するように設けられてもよく、第２把持部２２の先端２６は、第１把持部１２の先端１６と当接しないように形成されてもよい。また、第１把持部１２及び第２把持部２２における珠玉Ｐと当接する表面の一部又は全部には、留め具１００の把持による珠玉Ｐの表面のキズの発生の防止のために、第１把持部１２又は第２把持部２２よりも軟質な軟質部材が設けられてもよく、珠玉Ｐの表面における第１把持部１２又は第２把持部２２の滑り止めのために、珠玉Ｐの表面との密着性に優れた密着部材が設けられてもよい。この場合、上記した軟質部材及び密着部材はシリコン製あるいはゴム製であってもよい。
【００５４】  また、留め具１００は、第１突起部１３、第２突起部２３、正面挿通孔６０、側面挿通孔７０、第１開口部１４、第２開口部２４、付勢部材４０、及び接続部材５０の一部又は全部を有しなくてもよい。また、正面挿通孔６０、側面挿通孔７０、第１開口部１４、及び第２開口部２４は、上記した構成に限定されない。例えば、正面挿通孔６０、側面挿通孔７０、第１開口部１４、及び第２開口部２４の形状は、円形状に代えて、長円形状、楕円形状、多角形状などであってもよく、この場合の第１正面凹部１７、第１側面凹部１８、第２正面凹部２７、及び第２側面凹部２８は、それぞれ正面挿通孔６０及び側面挿通孔７０の形状及び大きさに対応するように形成される。また、側面挿通孔７０，７０のそれぞれは、形状、大きさ、又は中心の位置などが異なってもよい。また、第１開口部１４及び第２開口部２４のそれぞれは、形状、大きさ、中心の位置などが異なってもよい。なお、上記したこれらの留め具１００に関する変形事項については、後述する第２実施形態に係る留め具２００についても同様に適用が可能である。
【００５５】＜第２実施形態＞  次に、第２実施形態について、図６、図７を用いて説明する。図６は、第２実施形態に係る留め具の一例を示す概略斜視図である。図７は、図６の留め具が珠玉を把持した状態を示し、（ａ）は側面図、（ｂ）は正面図、（ｃ）は平面図である。なお、以下の説明において上記した第１実施形態と同一または同等の構成部分については同一符号を付けて説明を省略または簡略化する。
【００５６】  図６、図７に示すように、留め具２００は、第１本体部２１０と、第２本体部２２０と、支軸３０と、付勢部材４０と、接続部材５０とを有している。第１本体部２１０と第２本体部２２０とは、支軸３０により開閉自在に軸支され、それぞれ支軸３０を中心に回動可能となっている。留め具２００は、例えば、珠玉Ｐを有する紐状のアクセサリ１に用いられ、装飾部２の一端側の端部と接続される（図８参照）。留め具２００は、後述する第１把持部２１２と第２把持部２２２とを相対的に閉じる方向に第１本体部２１０と第２本体部２２０とが回動することにより珠玉Ｐの把持が可能となっている。
【００５７】  第１本体部２１０は、第２本体部２２０の＋Ｙ側に配置され、裏面側（−Ｙ側）に支軸３０が挿通可能な一対の支軸挿通穴１１を有している。第１本体部２１０は、第１把持部２１２と第１突起部１３とを有している。第１把持部２１２は、Ｙ方向から見て、支軸３０の＋Ｘ側に設けられている。第１把持部２１２は、留め具２００が珠玉Ｐを把持する際に、珠玉Ｐの表面に当接し、後述する第２把持部２２２と協働して珠玉Ｐを把持する。
【００５８】  第１把持部２１２は、留め具２００が珠玉Ｐを把持した際に珠玉Ｐを＋Ｚ側及び−Ｚ側から挟むように設けられた一対の第１片部２１９，２１９を有している。一対の第１片部２１９，２１９のそれぞれは、Ｙ方向から見て支軸３０側から＋Ｘ方向に延びるようにかつＺ方向から見て互いが重なるように設けられている。第１片部２１９，２１９は、Ｘ方向から見て第１本体部２１０の＋Ｙ側かつ＋Ｚ側の部分及び＋Ｙ側かつ−Ｚ側の部分が＋Ｘ方向に延びた後、Ｚ方向から見て把持した珠玉Ｐの中心部Ｏを中心とする円弧に沿って曲がり、さらに先端部分２１５が平面Ｓに対して交差して、平面Ｓの−Ｙ側まで形成されている。
【００５９】  また、図７に示すように、留め具２００が珠玉Ｐを把持した状態で、第１片部２１９の先端部分（支軸３０側から延びる第１把持部２１２の先端部分）２１５は、支軸３０と珠玉Ｐの中心部Ｏとを含む平面Ｓに対して交差するように設けられており、第１片部２１９の先端２１６は、平面Ｓを超えて平面Ｓの−Ｙ側に位置している。第１片部２１９の先端（支軸３０側から延びる第１把持部２１２の先端）２１６は、留め具２００が珠玉Ｐを把持した状態で、後述する第２片部２２９の先端２２６と当接するように形成されている。
【００６０】  このような一対の第１片部２１９，２１９の構成により、第１把持部２１２には、支軸３０側から延びる先端部分２１５の先端２１６の一部を＋Ｙ側及び−Ｘ側に切り欠いた第１正面凹部２１７が形成される。第１正面凹部２１７は、Ｙ方向から見て、珠玉Ｐの中心部Ｏを中心とする円弧に沿って形成されている。第１正面凹部２１７は、後述する正面挿通孔２６０を構成する。また、第１把持部２１２の側面（＋Ｚ側及び−Ｚ側の面）には、側面の−Ｙ側の端部の一部を＋Ｙ側に切り欠いた第１側面凹部１８が設けられている。
【００６１】  図６、図７に示すように、第２本体部２２０は、第１本体部２１０の−Ｙ側に配置され、＋Ｙ側に支軸３０が挿通可能な一対の支軸挿通穴２１を有している。第２本体部２２０は、第２把持部２２２と第２突起部２３とを有している。第２把持部２２２は、Ｙ方向から見て、支軸３０の＋Ｘ側に設けられている。第２把持部２２２は、留め具１００が珠玉Ｐを把持する際に、珠玉Ｐの表面に当接し、第１把持部２１２と協働して珠玉Ｐを把持する。
【００６２】  第２把持部２２２は、一対の第２片部２２９，２２９を有している。第２片部２２９は、Ｙ方向から見て、支軸３０側から＋Ｘ方向に延びるようにかつ第１片部２１９と重なるように形成されている。また、第２片部２２９，２２９のそれぞれは、Ｚ方向から見て互いが重なるように設けられている。一対の第２片部２２９，２２９は、Ｘ方向から見て第２本体部２２０の−Ｙ側かつ＋Ｚ側の部分及び−Ｙ側かつ−Ｚ側の部分が＋Ｘ方向に延びた後、さらにＺ方向から見て把持した珠玉Ｐの中心部Ｏを中心とする円弧に沿って湾曲して形成されている。
【００６３】  また、図７に示すように、留め具２００が珠玉Ｐを把持した状態で、第２片部２２９の先端部分（支軸３０側から＋Ｘ方向に延びる第２把持部２２２の先端部分）２２５は、平面Ｓに対して離間し、かつ第２片部２２９の先端２２６が第１片部２１９の先端２１６と当接するように形成されている。
【００６４】  このような一対の第２片部２２９の構成により、第２把持部２２２には、支軸３０側から延びる先端部分２２５の先端２２６の一部を＋Ｙ側及び−Ｘ側に切り欠いた第２正面凹部２２７が形成される。第２正面凹部２２７は、Ｙ方向から見て、珠玉Ｐの中心部Ｏを中心とする円弧に沿って形成されている。第２正面凹部２２７は、第１正面凹部２１７とともに後述する正面挿通孔２６０を構成する。また、第２把持部２２２の側面（＋Ｚ側及び−Ｚ側の面）には、側面の一部を＋Ｙ側に切り欠いた第２側面凹部２８が設けられている。
【００６５】  留め具２００は、珠玉Ｐを把持して状態で、正面（＋Ｘ側の面）をＸ方向に貫通する正面挿通孔２６０を有している。正面挿通孔２６０は、第１正面凹部２１７と第２正面凹部２２７とから形成されている。正面挿通孔２６０は、第１実施形態に係る正面挿通孔６０と同様に、平面Ｓに沿って支軸３０に直交する方向（Ｘ方向）に、アクセサリ１の装飾部２の一部が挿通可能となっている。そのため、留め具２００によれば、留め具１００と同様に、装飾部２の−Ｘ側の端部の珠玉Ｐ１を正面側（−Ｘ側）から把持し、装飾部２どうしを直線状に接続することが可能となっている。正面挿通孔２６０は、Ｙ方向から見て、第１実施形態に係る第１開口部１４及び第２開口部２４の領域を含むように形成されており、留め具２００が珠玉Ｐを把持すると、珠玉Ｐの＋Ｙ側及び−Ｙ側の曲面の一部は正面挿通孔２６０の外部に突出する。また、留め具２００は、珠玉Ｐを把持した状態で、側面（＋Ｚ側の面及び−Ｚ側の面）をＺ方向に貫通する側面挿通孔７０を有している。
【００６６】  珠玉Ｐを把持する際及び珠玉Ｐを離脱させる際の留め具２００の動作については、上記した第１実施形態に係る留め具１００の動作と同様である。
【００６７】  このような留め具２００によれば、第１開口部１４及び第２開口部２４が有する効果を除き、第１実施形態に係る留め具１００と同様の効果を生じる。また、留め具２００は、留め具１００に比べて、第１把持部２１２及び第２把持部２２２が簡素な構成となっているため、アクセサリ１の審美性を害するおそれが少ないという利点がある。
【００６８】＜第３実施形態＞  続いて、第３実施形態について、図８を用いて説明する。図８は、第３実施形態に係るアクセサリの一例を示す要部の概略側面図である。なお、以下の説明において上記した実施形態と同一または同等の構成部分については同一符号を付けて説明を省略または簡略化する。アクセサリ１は、図８に示すように、紐状の装身具であり、留め具１００と、装飾部２と、円環部材３とを有している。
【００６９】  留め具１００は、装飾部２の一端側の端部の珠玉Ｐ１ａと円環部材３を介して接続されている。なお、アクセサリ１には、留め具１００に代えて留め具２００が用いられてもよい。
【００７０】  装飾部２は、留め具１００が把持可能な珠玉Ｐを有している。装飾部２は、紐状となっており、複数の珠玉Ｐが線状に連設された構成となっている。珠玉Ｐとしては、例えば球状の真珠が採用される。ただし、装飾部２は、上記構成に限定されない。珠玉Ｐとしては、留め具１００が把持可能な強度、剛性、形状、及び大きさを備えるものであればよく、珠玉Ｐは、真珠に代えて、例えば宝石や樹脂などが用いられてもよく、球形以外の形状のものが採用されてもよい。装飾部２を構成する珠玉Ｐの数は、１つあるいは複数のいずれであってもよい。また、装飾部２が複数の珠玉Ｐを備える場合、珠玉Ｐは装飾部２において互いに間隔を空けて配置されてもよい。また、装飾部２は紐状以外の形状であってもよい。
【００７１】  円環部材３は、装飾部２の一端側の端部に設けられており、接続部材５０の接続穴５３に挿通されている。円環部材３を介して、留め具１００と装飾部２とが接続されている。
【００７２】  留め具１００が装飾部２の他端側の端部の珠玉Ｐ１ｂを正面側から把持すると、留め具１００を介して珠玉Ｐ１ａと珠玉Ｐ１ｂとが直線状に接続されて（図４（ａ）参照）、アクセサリ１は環状に形成される。一方、留め具１００が装飾部２の中間部分の珠玉Ｐ２を把持すると、留め具１００を介して珠玉Ｐ１ａと、珠玉Ｐ２と、珠玉Ｐ２に隣接する珠玉Ｐとが略Ｙ字状に接続されて（図４（ｂ）参照）、アクセサリ１は略Ｙ字状を有する形状に形成される。このように、アクセサリ１によれば、留め具１００が把持する珠玉Ｐを変えることにより、アクセサリ１の形状を異ならせることができるので、形状のバリエーションを複数有するアクセサリ１を提供することができる。
【００７３】  なお、アクセサリ１としては、上記した構成に限定されない。例えば、アクセサリ１は、装身具に限定されず、装飾品や付属品などであってもよい。また、アクセサリ１が有する留め具１００及び装飾部２の数は、それぞれ一つであることに限定されず、アクセサリ１は、留め具１００及び装飾部２の一方又は双方を複数有してもよい。また、アクセサリ１において、留め具１００は、装飾部２の一端側の端部に加えて他端側に端部に設けられてもよい。また、複数の留め具１００のそれぞれは、装飾部２を介してではなく、接続部材５０どうしを接続する部材を介して互いが接続されてもよい。また、アクセサリ１において、留め具１００と装飾部２とは、円環部材３を介さずに接続される構成としてもよい。この場合、接続部材５０の珠玉Ｐ１ａ側の部分が珠玉Ｐ１ａの内部に入り込んだ構成としてもよく、第１本体部１０又は第２本体部２０が珠玉Ｐ１ａ端部に固着あるいは当接されて装飾部２と一体的となる構成であってもよい。また、アクセサリ１において、留め具１００は、装飾部２の一端側の珠玉Ｐ１ａと接続される構成に代えて装飾部２の中間部分の珠玉Ｐ２と接続される構成としてもよい。
【００７４】  以上、本発明の留め具及びアクセサリについて説明したが、本発明は、上記した説明に限定されるものではなく、本発明の要旨を逸脱しない範囲において種々の変更が可能である。例えば、上記した実施形態の一部の構成を他の実施形態の構成と置き換えてもよく、上記した実施形態の構成を組み合わせてもよい。
【符号の説明】
【００７５】  Ｏ…中心部  Ｐ，Ｐ１，Ｐ１ａ，Ｐ１ｂ，Ｐ２…珠玉  Ｓ…平面  １…アクセサリ  ２…装飾部  １０，２１０…第１本体部  １２，２１２…第１把持部  １３…第１突起部  １４…第１開口部（開口部）  １５，２５，２１５，２２５…先端部分  １６，２６，２１６，２２６…先端  １７，２１７…第１正面凹部  １８…第１側面凹部  ２０，２２０…第２本体部  ２２，２２２…第２把持部  ２３…第２突起部  ２４…第２開口部（開口部）  ２７，２２７…第２正面凹部  ２８…第２側面凹部  ３０…支軸  ４０…付勢部材  ５０…接続部材  ５１…挿通穴  ６０，２６０…正面挿通孔  ７０…側面挿通孔  １００，２００…留め具
【図１】
2016121088.tif 000003
【図２】
2016121088.tif 000004
【図３】
2016121088.tif 000005
【図４】
2016121088.tif 000006
【図５】
2016121088.tif 000007
【図６】
2016121088.tif 000008
【図７】
2016121088.tif 000009
【図８】
2016121088.tif 000010
【国際調査報告】
2016121088.tif 000011
2016121088.tif 000012
2016121088.tif 000013
2016121088.tif 000014